(57)【要約】【課題】仕切り装置において、飲食店等のテーブルにおいて相席になった場合に、より好適なプライベート空間を作り出すことである。【解決手段】テーブル８に装着可能な仕切り装置１０であって、テーブル８の端部に係合可能な係合部１２と、係合部１２が係合した際にテーブル８の上面に立設されて上面を仕切る仕切り部１４と、を備え、仕切り部１４は、係合した際にテーブル８の端部から上面に水平方向に突出する突出部２０を有することを特徴とする。【選択図】図１
2018057583.tif 000002
【特許請求の範囲】
【請求項１】
テーブルに装着可能な仕切り装置であって、
前記テーブルの端部に係合可能な係合部と、
前記係合部が係合した際に前記テーブルの上面に立設されて前記上面を仕切る仕切り部と、
を備え、
前記仕切り部は、
前記係合した際に前記テーブルの端部から前記上面に水平方向に突出する突出部を有することを特徴とする仕切り装置。
【請求項２】
請求項１に記載の仕切り装置において、
前記仕切り部は、
通常時は前記仕切り部内に収納され、延伸時に前記仕切り部外に突出して前記水平方向に延伸可能な延伸部を有することを特徴とする仕切り装置。
【請求項３】
請求項２に記載の仕切り装置において、
前記延伸部は、前記水平方向に延伸した後にさらに前記上面に垂直方向に延伸可能であることを特徴とする仕切り装置。
【請求項４】
請求項１から請求項３のいずれか１項に記載の仕切り装置において、
前記仕切り部の上部に装着可能であり前記上部よりも幅広の上面部と、該上面部の両端部に立設される壁部とを含む着脱部をさらに備えることを特徴とする仕切り装置。
【発明の詳細な説明】
【技術分野】
【０００１】
本発明は、仕切り装置に関する。
【背景技術】
【０００２】
従来、飲食店等は店舗面積等の関係からテーブルや椅子の数を配置できる制約がある。お客様は、一人で来る場合もあるが、複数人で来る場合もある。一般的に、テーブルは４人掛けや６人掛け用の大きさに設定されていることが多いが、繁盛店になると相席をお客様に求めて客席稼働率を上げることが望ましい。また、本発明に関連する技術として、例えば、特許文献１には、机上用中間パネル装置として、オフィス家具の机上の上面を分割するために装着可能なパネル装置が開示されている。
【先行技術文献】
【特許文献】
【０００３】
【特許文献１】特開２０１３−８１５２９号公報
【発明の概要】
【発明が解決しようとする課題】
【０００４】
例えば、４人掛けのテーブルに二人一組のお客様を二組座らせる場合に、各組についてテーブルを挟んで向かい合わせに座らせて、テーブルの中間部分に仕切りを立設させることで、ある程度のプライベート空間を作り出すことはできる。しかしながら、このような形で相席させた場合に、横に座っているのは、知らない他人であり、腕がぶつかる懸念があったり、当該他人の存在が気になって食事を楽しめない可能性がある。
【０００５】
本発明の目的は、飲食店等のテーブルにおいて相席することが必要となった場合に、より好適なプライベート空間を作り出すことを可能とする仕切り装置を提供することである。
【課題を解決するための手段】
【０００６】
本発明に係る仕切り装置は、テーブルに装着可能な仕切り装置であって、前記テーブルの端部に係合可能な係合部と、前記係合部が係合した際に前記テーブルの上面に立設されて前記上面を仕切る仕切り部と、を備え、前記仕切り部は、前記係合した際に前記テーブルの端部から前記上面に水平方向に突出する突出部を有することを特徴とする。
【０００７】
また、本発明に係る仕切り装置において、前記仕切り部は、通常時は前記仕切り部内に収納され、延伸時に前記仕切り部外に突出して前記水平方向に延伸可能な延伸部を有することが好ましい。
【０００８】
また、本発明に係る仕切り装置において、前記延伸部は、前記水平方向に延伸した後にさらに前記上面に垂直方向に延伸可能であることが好ましい。
【０００９】
また、本発明に係る仕切り装置において、前記仕切り部の上部に装着可能であり前記上部よりも幅広の上面部と、該上面部の両端部に立設される壁部とを含む着脱部をさらに備えることが好ましい。
【発明の効果】
【００１０】
本発明によれば、テーブルの上面が仕切られるだけでなく、テーブルの端部から上面に水平方向に突出する突出部が設けられている。これにより、テーブルの横に座っている人との間の空間も仕切ることができ、より好適なプライベート空間を作り出すができる。
【図面の簡単な説明】
【００１１】
【図１】本発明に係る実施の形態において、仕切り装置の斜視図である。
【図２】本発明に係る実施の形態において、４人掛けのテーブルにおいて２つの仕切り装置を用いて、テーブルの上面を２つの領域に仕切っている様子を示す図である。
【図３】本発明に係る実施の形態において、テーブルの上面を２つの領域及び４つの領域に仕切っている様子を示す平面図である。
【図４】本発明に係る実施の形態において、仕切り装置の変形例の斜視図である。
【発明を実施するための形態】
【００１２】
以下に、本発明に係る実施の形態について添付図面を参照しながら詳細に説明する。以下では、全ての図面において同様の要素には同一の符号を付し、重複する説明を省略する。また、本文中の説明においては、必要に応じそれ以前に述べた符号を用いるものとする。
【００１３】
図１は、仕切り装置１０の斜視図である。仕切り装置１０は、テーブル８の上面を仕切るために、テーブル８に装着可能な装置である。仕切り装置１０は、係合部１２と、仕切り部１４と、着脱部１６と、ストッパー部１７とを備える。仕切り装置１０は、所定の厚みを有する板状形状を有している。仕切り装置１０の大きさは、テーブル８の大きさに応じて適宜変更することが好ましいが、一例をあげると縦方向に５０ｃｍ、横方向に５０ｃｍ、厚みを７ｃｍに設定することができる。ここでは、テーブルは、４人掛けのテーブルを用いて説明するが、２人掛けや６人掛けのテーブルであってもよく、１人掛けであってもよい。１人掛けのテーブルとして、例えば、飲食店等において、従業員側とお客様側とを仕切る細長いカウンター式のテーブルも含まれる。
【００１４】
係合部１２は、板状形状において、一部を切欠いて形成された凹部を有している。凹部の大きさは、テーブルの大きさに応じて適宜変更することが好ましいが、上記仕切り装置１０の大きさの例に設定した場合、例えば、縦方向に１０ｃｍ、横方向に２０ｃｍの大きさを有する凹み領域に設定することができる。
【００１５】
係合部１２には、凹み領域の上部及び下部に夫々複数の駒部１８が設けられている。駒部１８は、適度な柔軟性を有する部材（例えば、ゴム部材）で構成され、支持部材１８ｂに回転可能に支持される回転駒１８ａと、支持部材１８ｂを凹み領域の中央部方向に付勢させる付勢部材１８ｃとで構成されている。複数の駒部１８は、凹み領域の上部及び下部において、所定の間隔をおいて並んで配置されている。
【００１６】
支持部材１８ｂは、適度な強度を有する材質、例えば、ステンレスで構成されることが好ましい。また、付勢部材１８ｃは、支持部材１８ｂの周囲を巻回し、支持部材１８ｂを凹み領域の中央部方向に付勢させるように固定されるバネである。
【００１７】
凹み領域の上部に設けられた複数の駒部１８と、凹み領域の下部に設けられた複数の駒部１８との間には所定の隙間が形成されており、この隙間にテーブル８の端部を嵌めこみ、付勢部材１８ｃの付勢力に抗して支持部材１８ｂを移動させ隙間を広げつつ、駒部１８を回転させてテーブル８を押し込むことができる。
【００１８】
仕切り部１４は、係合部１２がテーブル８に係合した際にテーブル８の上面に立設されてテーブル８の上面を仕切る機能を有する。仕切り部１４は、一部に係合部１２を有する凹みが形成されているが、全体として略板状形状を有している。仕切り部１４は、適度な強度を有する材質で構成されていればよく、例えば、プラスチック樹脂や木材で構成されていることが好ましい。
【００１９】
仕切り部１４は、係合部１２が係合した際にテーブル８の端部から上面に水平方向に突出する突出部２０を有する。突出部２０は、仕切り装置１０をテーブル８に係合させた場合に、テーブル８の端部から所定量突出する。突出部２０の大きさは、テーブル８の大きさに応じて適宜変更することが好ましいが、上記仕切り装置１０の大きさの例に設定した場合、例えば、縦方向に５０ｃｍ、横方向に２０ｃｍの大きさを有するように設定することができる。
【００２０】
仕切り部１４は、通常時は仕切り部１４内に収納され必要な場合である延伸時に仕切り部１４外に突出して水平方向に延伸可能な延伸部２２を有する。延伸部２２は、水平方向に延伸した後にさらにテーブル８の上面に垂直方向に延伸可能に構成されている。
【００２１】
延伸部２２は、仕切り部１４内に入れ子状に収納されている。延伸部２２は、テーブル８に水平方向に移動させるための第１延伸部２２ａと、第１延伸部２２ａを延伸させた後、テーブル８に垂直な上方向に延伸させるための第２延伸部２２ｂと、第１延伸部２２ａを延伸させた後、テーブル８に垂直な下方向に延伸させるための第３延伸部２２ｃとを備えている。
【００２２】
第１延伸部２２ａの厚みは、仕切り部１４よりも小さく設定されており、上記仕切り装置１０の大きさの例に設定した場合、５ｃｍ程度に設定することが好ましい。第２延伸部２２ｂ及び第３延伸部２２ｃは、それぞれ第１延伸部２２ａに収納されているため、上記仕切り装置１０の大きさの例に設定した場合、３ｃｍ程度に設定することが好ましい。
【００２３】
着脱部１６は、仕切り部１４の上部に装着可能であり、上記上部よりも幅広の上面部１６ａと、上面部１６ａの両端部に立設される壁部１６ｂとを備える。
【００２４】
上面部１６ａの幅は、上記仕切り装置１０の大きさの例に設定した場合、例えば、１５ｃｍに設定することができるが、上面部１６ａの下面側には、仕切り部１４を挟みこむために、上記仕切り装置１０の大きさの例に設定した場合、仕切り部１４の上部の幅と一致するようにレール幅が７ｃｍに設定されたレール部１６ｃが形成されている。なお、壁部１６ｂ及びレール部１６ｃは、それぞれ立設された状態を示しているが、それぞれ折り畳み構造にすることで収納などの際に省スペースにすることができるという利点がある。
【００２５】
壁部１６ｂは、上面部１６ａの延伸方向に沿って、上面部１６ａの両端部に立設される。壁部１６ｂの高さは、自由に設定することが可能であるが、例えば、３ｃｍ程度に設定することが好ましい。
【００２６】
ストッパー部１７は、係合部１２をテーブル８の端部に係合させて仕切り部１４を立設させた場合に、仕切り部１４が転倒することを防止させるために取り付けられた装置である。ストッパー部１７は、仕切り部１４に貼着される本体部と、ストップ棒部の上端部を押し付けると下方に移動して下端部に設けられたゴム部材がテーブル８の上面に当接されて固定され、解放部を操作することでストップ棒部を上昇させる機構を有する。
【００２７】
このストッパー部１７を仕切り部１４の両面に設置することで仕切り部１４が転倒してしまうことを防止することができる。
【００２８】
続いて、上記構成の仕切り装置１０の作用について説明する。繁盛している飲食店などでは、お客様６の待ち時間を削減するとともに、客席稼働率を高めるためにテーブル８の相席をお客様６に求めることがある。
【００２９】
このような場合にテーブル８の端部に仕切り装置１０の係合部１２を係合させる。具体的には、凹み領域の上部に設けられた複数の駒部１８と、下部に設けられた複数の駒部１８との間には形成された隙間にテーブル８の端部を嵌めこみ、付勢部材１８ｃの付勢力に抗して支持部材１８ｂを移動させ隙間を広げつつ、駒部１８を回転させてテーブル８を押し込む。
【００３０】
このとき、凹み領域の上部及び下部に設けられた複数の駒部１８は、それぞれ、付勢部材１８ｃの付勢力によって中央部に押し付けられるため、テーブル８は、強力に挟み込まれる。これにより、仕切り部１４をしっかりと立設させることができる。
【００３１】
また、ストッパー部１７のストップ棒部の上端部を押し付けて下端部に設けられたゴム部材をテーブル８の上面に当接させ、仕切り部１４の転倒を防止することができる。
【００３２】
図２は、４人掛けのテーブル８において２つの仕切り装置１０を用いて、テーブル８の上面を２つの領域に仕切っている様子を示す図である。これにより、二人一組のお客様６をそれぞれテーブル８で向かい合う方向で座らせると、このテーブル８に二組座ることができるため、客席稼働率を高めることができる。このように、仕切り装置１０によれば、混雑状況に応じて、後付けで仕切り部１４をテーブル８の上面に立設させることでプライベート空間を作り出すことができる利点がある。
【００３３】
また、仕切り装置１０によれば、テーブル８の上面が仕切られるだけでなく、テーブル８の端部から上面に水平方向に突出する突出部２０が設けられている。これにより、テーブル８の横に座っている人との間の空間も仕切ることができ、より好適なプライベート空間を作り出すができる。
【００３４】
さらに、仕切り装置１０によれば、必要に応じて第１延伸部２２ａを仕切り部１４から引き出し、上下方向についても第２延伸部２２ｂ、第３延伸部２２ｃを引き出して延伸させることで、相席となった場合の横隣りの人との間の空間領域を大きく仕切ることができ、より好ましいプライベート空間を作り出すことができる利点がある。
【００３５】
また、仕切り装置１０は、仕切り部１４の上部に着脱部１６が装着されている。着脱部１６は、仕切り部１４の上部よりも幅が広い上面部１６ａを上面部１６ａの両端部に壁部１６ｂが形成されている。
【００３６】
したがって、テーブル８を仕切る役割だけでなく、例えば、食事の際に使う塩、胡椒、醤油などの共用の調味料を配置することで、テーブル８が仕切られた後もお客様６がこれらの調味料を使うことができる。
【００３７】
次に、仕切り装置１０の第１変形例である仕切り装置１０ａについて説明する。仕切り装置１０ａと仕切り装置１０との相違は、着脱部１９の形状である。着脱部１９は、着脱部１６とほぼ同様の構成を有しており、その相違は一方側の端部１９ａが幅広に形成されている点である。この着脱部１９が装着された２つの仕切り装置１０ａを用いた場合の平面図を図３（ａ）に示している。
【００３８】
このように２つの仕切り装置１０ａを装着することで上記仕切り装置１０と同様にプライベート空間を作りつつ、客席稼働率を高めるとともに、図３（ａ）に示される２つの着脱部１９の端部１９ａが合わさって形成される領域に、例えば、ビールのピッチャー等の大きなものを載せることも可能である。
【００３９】
また、図３（ａ）に加えて、さらに２つの仕切り装置１０を装着することで、図３（ｂ）に示されるようにテーブル８の上面を４つの空間に仕切ることができる。これにより、一人客を４組もテーブル８に座らせることができるため、客席稼働率をさらに高めることができる。
【００４０】
次いで、仕切り装置１０の第２変形例である仕切り装置１０ｂについて説明する。図４は、仕切り装置１０ｂと仕切り装置１０の相違点は、駒部８の代わりに柔軟部２１と柔軟性ストッパー部２３とが設けられている点である。
【００４１】
柔軟部２１は、柔軟性を有する部材、例えば、ゴム部材等で構成されており、係合部１２の上部に沿って装着されている。
【００４２】
柔軟性ストッパー部２３は、ストッパー部１７と同様の構造を有しているが、ストッパー部１７とは異なり、ストップ棒部の上端部に装着されているゴム部材の大きさが柔軟性部材の大きさに適合させて形成されている点で異なる。
【００４３】
柔軟部２１と柔軟性ストッパー部２３のゴム部材との間には、通常時は所定の隙間が形成されており、テーブル８を挟みこんだ後、柔軟性ストッパー部２３の下端部を押し付けることで、ストップ棒部を上昇させてテーブル８を柔軟部２１と柔軟性ストッパー部２３のゴム部材とでしっかりと挟んで固定することができる。これにより、仕切り装置１０ｂを用いても仕切り装置１０と同様の作用効果を生じさせることができる。
【００４４】
また、柔軟性ストッパー部２３は、仕切り部１４の下方を操作することで稼働させる構造であるが、仕切り部１４内に所定の油圧部等の構造を設置することで、仕切り部１４の上方で操作するような構造にすることも考えられる。
【００４５】
なお、仕切り装置１０は駒部１８を用い、仕切り装置１０ｂは柔軟部２１と柔軟性ストッパー部２３とを用いているものとして説明したが、各要素を組み合わせて用いることもできる。例えば、仕切り装置１０ｂにおいて、柔軟部２１の代わりに駒部１８を用いて、柔軟性ストッパー部２３との間でテーブルを挟みこむこともできる。
【００４６】
また、上記の例では、延伸部２２は、延伸部材を入れ子状に収納して引き出すことで水平方向又は垂直方向に延伸することが可能であるが、延伸部材の数を増やすことで延伸量を大きくすることができる。また、延伸部により延伸するだけでなく、仕切り部１４に延伸部材を入れ子状にすることで、テーブルの上方の仕切り領域を広めることも好ましい。
【符号の説明】
【００４７】
６  お客様、８  テーブル、１０，１０ａ，１０ｂ  仕切り装置、１２  係合部、１４  仕切り部、１６  着脱部、１６ａ  上面部、１６ｂ  壁部、１６ｃ  レール部、１７  ストッパー部、１８  駒部、１８ａ  回転駒、１８ｂ  支持部材、１８ｃ  付勢部材、１９  着脱部、１９ａ  端部、２０  突出部、２２  延伸部、２２ａ  第１延伸部、２２ｂ  第２延伸部、２２ｃ  第３延伸部。
【図１】
2018057583.tif 000003
【図２】
2018057583.tif 000004
【図３】
2018057583.tif 000005
【図４】
2018057583.tif 000006
【手続補正書】
【提出日】平成29年3月16日(2017.3.16)
【手続補正１】
【補正対象書類名】明細書
【補正対象項目名】００３２
【補正方法】変更
【補正の内容】
【００３２】
図２は、４人掛けのテーブル８において２つの仕切り装置１０を用いて、テーブル８の上面を２つの領域に仕切っている様子を示す図である。これにより、二人一組のお客様６をそれぞれテーブル８で向かい合う方向で座らせると、このテーブル８に二組座ることができるため、客席稼働率を高めることができる。このように、仕切り装置１０によれば、混雑状況に応じて、後付けで仕切り部１４をテーブル８の上面に立設させることでプライベート空間を作り出すことができる利点がある。さらに、仕切り装置１０によれば、テーブル８の上面が仕切られているため、この仕切りによる分煙の効果も有する。

【手続補正書】
【提出日】平成29年7月6日(2017.7.6)
【手続補正１】
【補正対象書類名】特許請求の範囲
【補正対象項目名】全文
【補正方法】変更
【補正の内容】
【特許請求の範囲】
【請求項１】
テーブルに装着可能な仕切り装置であって、
前記テーブルの端部に係合可能な係合部と、
前記係合部が係合した際に前記テーブルの上面に立設されて前記上面を仕切る仕切り部と、
を備え、
前記仕切り部は、
前記係合した際に前記テーブルの端部から前記上面に水平方向に突出する突出部を有し、
通常時は前記仕切り部内に収納され、延伸時に前記仕切り部外に突出して前記水平方向に延伸可能な延伸部を有することを特徴とする仕切り装置。
【請求項２】
請求項１に記載の仕切り装置において、
前記延伸部は、前記水平方向に延伸した後にさらに前記上面に垂直方向に延伸可能であることを特徴とする仕切り装置。
【請求項３】
請求項１または請求項２に記載の仕切り装置において、
前記仕切り部の上部に装着可能であり前記上部よりも幅広の上面部と、該上面部の両端部に立設される壁部とを含む着脱部をさらに備えることを特徴とする仕切り装置。
【手続補正２】
【補正対象書類名】明細書
【補正対象項目名】０００６
【補正方法】変更
【補正の内容】
【０００６】
本発明に係る仕切り装置は、テーブルに装着可能な仕切り装置であって、前記テーブルの端部に係合可能な係合部と、前記係合部が係合した際に前記テーブルの上面に立設されて前記上面を仕切る仕切り部と、を備え、前記仕切り部は、前記係合した際に前記テーブルの端部から前記上面に水平方向に突出する突出部を有し、通常時は前記仕切り部内に収納され、延伸時に前記仕切り部外に突出して前記水平方向に延伸可能な延伸部を有することを特徴とする。
【手続補正３】
【補正対象書類名】明細書
【補正対象項目名】０００７
【補正方法】削除
【補正の内容】